(57)【特許請求の範囲】
【請求項１】
第１の端部に設けられ、円筒状のネック部と、
前壁部と、後壁部と、複数の側壁部と、
前記円筒状のネック部とは反対側の第２の端部に設けられた平らな底部と、
を含む本体部と、
を含み、
前記側壁部は、前記底部と前記円筒状のネック部との間に形成され、かつ、前記側壁部の上部が前記本体部の内側に湾曲して前記円筒状のネック部に接続され、
前記本体部の前記前壁部、前記後壁部及び前記側壁部は内部に空洞を形成し、
前記空洞内に配置された少なくとも１つのトレーは、付け爪を収容するための複数の開口凹部を有する、
展示パッケージ。
【請求項２】
請求項１において、
前記本体部は、前記本体部と前記円筒状のネック部を分割して前記空洞にアクセスするために第１の部分と第２の部分に分割することができ、前記第１の部分と前記第２の部分を結合して前記展示パッケージを形成する、展示パッケージ。
【請求項３】
請求項２において、
前記第１の部分と前記第２の部分を連結するヒンジをさらに含み、前記ヒンジは、前記本体部の前記第１の部分から延び、１以上の挿入溝を介して第２のヒンジ部分の収容穴に挿入される挿入タブを有する第１のヒンジ部分を含み、前記第２のヒンジ部分は前記本体部の前記第２の部分に配置されている、展示パッケージ。
【請求項４】
請求項２において、
前記第１の部分から延び、係止隆起部を有するタブを含む係止機構をさらに含み、
前記係止隆起部は、前記第２の部分の上面の下に位置する係止溝に収容され、前記第１の部分と前記第２の部分を組み合わせると、前記係止隆起部は前記係止溝に嵌め込まれ、前記第１の部分と前記第２の部分を固定する、展示パッケージ。
【請求項５】
請求項１において、
前記ネック部は、１以上の溝を有し、
内側部分に配置され、前記１以上の溝に収容される１以上のタブを有するキャップをさらに含む、展示パッケージ。
【請求項６】
請求項３において、
前記本体部の前記第１の部分を前記本体部の前記第２の部分に接合することによって細長いキャップを有するマニキュア液ボトルの形状を有する、展示パッケージ。
【請求項７】
請求項１において、
前記少なくとも１つのトレーが、カバートレーと、底部トレーと、をさらに含み、
前記カバートレーと前記底部トレーを結合するとトレーケースが形成され、アイテムを保持するための中空領域が前記トレーケースの内に形成される、展示パッケージ。
【請求項８】
請求項７において、
前記カバートレーが、前記トレーケースの外側にグリッドパターンに配列され、前記複数の開口凹部を含む、展示パッケージ。
【請求項９】
請求項３において、
前記第１の端部から延び、前記本体部の前記第１の部分を前記本体部の前記第２の部分から容易に分離するためのプルタブをさらに含む、展示パッケージ。
【請求項１０】
付け爪をパッケージ及び展示するための装置であって、
第１の部分と、前記第１の部分と類似した第２の部分と、を有するパッケージ本体と、
内側部分に配置された１以上のタブを有するキャップと、
前記第１の部分を前記第２の部分に連結すると前記パッケージ本体内に形成される内部空洞と、
付け爪を収容するための複数の開口凹部を有し、前記内部空洞内に配置された少なくとも１つのトレーと、
を含み、
前記パッケージ本体は、第１の端部に設けられ、前記１以上のタブが収容される１以上の溝を有する円筒状のネック部と、前壁部と、後壁部と、複数の側壁部と、前記円筒状のネック部とは反対側の端部に設けられた平らな底部と、を含み、
前記側壁部は、前記底部と前記円筒状のネック部との間に形成され、かつ、前記側壁部の上部が前記パッケージ本体の内側に湾曲して前記円筒状のネック部に接続された、装置。
【請求項１１】
請求項１０において、
前記第１の部分と前記第２の部分を連結するヒンジをさらに含み、前記ヒンジは、前記第１の部分から延び、１以上の挿入溝を介して第２のヒンジ部分の収容穴に挿入される挿入タブを有する第１のヒンジ部分を含み、前記第２のヒンジ部分は前記パッケージ本体の前記第２の部分に配置されている、展示パッケージ。
【請求項１２】
請求項１０において、
前記第１の部分から延び、係止隆起部を有するタブを含む係止機構をさらに含み、
前記係止隆起部は、前記第２の部分の上面の下に位置する係止溝に収容され、前記第１の部分と前記第２の部分を組み合わせると、前記係止隆起部は前記係止溝に嵌め込まれ、前記第１の部分と前記第２の部分を固定する、展示パッケージ。
【請求項１３】
付け爪をパッケージ及び展示するための方法であって、
本体部と円筒状のネック部を分割するための第１の部分と第２の部分を形成し、
付け爪を収容するための複数の開口凹部を有するトレーであって、前記本体部の空洞内に少なくとも１つの前記トレーを配置し、
前記第１の部分と前記第２の部分を結合して展示パッケージを形成することを含む方法。
【請求項１４】
請求項１３において、
前記本体部が、前壁部と、後壁部と、複数の側壁部と、前記円筒状のネック部とは反対側の端部に設けられた平らな底部と、を有し、
前記側壁部は、前記底部と前記円筒状のネック部との間に形成され、かつ、前記側壁部の上部が前記本体部の内側に湾曲して前記円筒状のネック部に接続され、
前記本体部の前記前壁部、前記後壁部及び前記側壁部が内部に空洞を形成する方法。
【請求項１５】
請求項１３において、
前記本体部の前記第１の部分を前記本体部の前記第２の部分に結合すると、前記展示パッケージが細長いキャップを有するマニキュア液ボトルの形状を有する方法。
【請求項１６】
請求項１３において、
前記第１の部分から延び、係止隆起部を有するタブを含む係止機構を使用して前記第１の部分と前記第２の部分を固定することをさらに含み、
前記係止隆起部は、前記第２の部分の上面の下に位置する係止溝に収容され、前記第１の部分と前記第２の部分を組み合わせると、前記係止隆起部は前記係止溝に嵌め込まれ、前記第１の部分と前記第２の部分を固定する方法。
【請求項１７】
請求項１３において、
内側部分に配置された１以上のタブを有するキャップを、前記展示パッケージの円筒状のネック部上に取り付け、
前記円筒状のネック部上において前記キャップを回転させることをさらに含み、
前記円筒状のネック部は、前記１以上のタブが収容される１以上の溝を有する方法。
【発明の詳細な説明】
【関連出願】
【０００１】
本願は、２０１０年６月９日に出願された米国特許出願第１２／７９７，３２５号と米国特許出願第１２／７９７，３２５号の部分継続出願である２０１１年５月１９日に出願された米国特許出願第１３／１１１，６５９号とに基づいて優先権を主張したものであり、前記内容は本願に援用する。
【技術分野】
【０００２】
本発明は、全体として展示パッケージに関し、より詳細には、付け爪を展示するためのマニキュア液ボトルのように形成された展示パッケージに関する。
【背景技術】
【０００３】
美しくマニキュアされた爪の外観を提供し、使い捨てでメンテナンスが簡単な付け爪が広く使用されてきている。爪を手入れし、自然に伸ばすには費用と時間がかかるため、ファッションに関心のある人は付け爪を選択する場合が多い。
【０００４】
付け爪は、通常の紙及び／又はプラスチック製の展示パッケージ内にパッケージ（包装）されている。通常は正方形又は長方形の付け爪用展示パッケージは内部に収容されたアイテムの情報を顧客に与えず、単に製品を顧客に供給するための手段である。これらの展示パッケージでは、パッケージを破いて開けた後は再び密閉することが容易ではないため、機能的に不十分である。所望の付け爪を取り出した後、残りの付け爪を後に使用するために開封したパッケージ内に保存することはできない場合が多い。この場合、付け爪が展示パッケージから落下してユーザーが苛立ったり、付け爪が紛失してしまう場合がある。
【０００５】
また、そのような展示パッケージはマーケティングにおける魅力に欠ける。離れた場所から内部に収容された製品を認識することができる展示パッケージはより効果的である。マーケティングの観点から言うと、長方形又は正方形の箱はファッショナブルなアイテムを購入する人にそれほどアピールするものではない。
【０００６】
例えば、特許文献１に付け爪用のパッケージが開示されている。特許文献１に開示されたパッケージは、爪の曲率に関する情報を顧客に与え、適切な製品を選択させることを意図している。しかしながら、特許文献１に開示されたパッケージは、容易に利用可能かつ簡便な方法で付け爪を保持するものではない。
【０００７】
また、特許文献１に開示されたパッケージの形状では、顧客は内部に収容された製品を即座に認識することはできない。
【０００８】
従って、付け爪の分野において、内部に収容された製品の情報を顧客に与え、非使用時に付け爪の機能的かつ有用な収容部となる展示パッケージが求められている。
【先行技術文献】
【特許文献】
【０００９】
【特許文献１】米国特許第７，６２８，２７８号
【発明の概要】
【発明が解決しようとする課題】
【００１０】
本発明は、少なくとも上述した問題及び／又は欠点を解決し、少なくとも以下に記載する利点を提供するためになされたものである。
【課題を解決するための手段】
【００１１】
本発明の一態様は、全体としてマニキュア液ボトルのように形成された展示パッケージを提供する。
【００１２】
本発明の一実施形態において、展示パッケージは、第１の端部に設けられ、円筒状のネック部と、前記円筒状のネック部とは反対側の第２の端部に設けられた平らな底部と、
を含む。展示パッケージは、さらに、前壁部と、後壁部と、複数の側壁部と、を有する本体部を含む。前記側壁部は、前記底部と前記円筒状のネック部との間に形成され、かつ、前記側壁部の上部が前記本体部の内側に湾曲して前記円筒状のネック部に接続される。前記本体部の前記壁部は内部に空洞を形成し、前記空洞内に配置された少なくとも１つのトレーは、付け爪を収容するための複数の開口凹部を有する。
【００１３】
本発明の一実施形態において、付け爪をパッケージ及び展示するための装置は、第１の
部分と、前記第１の部分と類似した第２の部分と、を有するパッケージ本体と、内側部分に配置された１以上のタブを有するキャップと、を含む。前記装置は、さらに、前記第１の部分を前記第２の部分に連結すると前記パッケージ本体内に形成される内部空洞と、付け爪を収容するための複数の開口凹部を有し、前記内部空洞内に配置された少なくとも１つのトレーと、を含み、前記パッケージ本体は、第１の端部に設けられ、前記１以上のタブが収容される１以上の溝を有する円筒状のネック部と、前壁部と、後壁部と、複数の側壁部と、前記円筒状のネック部とは反対側の端部に設けられた平らな底部と、を含む。前記側壁部は、前記底部と前記円筒状のネック部との間に形成され、かつ、前記側壁部の上部が前記パッケージ本体の内側に湾曲して前記円筒状のネック部に接続される。
【００１５】
本発明の一実施形態において、付け爪をパッケージ及び展示するための方法は、本体部と円筒状のネック部を分割するための第１の部分と第２の部分を形成し、付け爪を収容するための複数の開口凹部を有するトレーであって、前記本体部の空洞内に少なくとも１つの前記トレーを配置し、前記第１の部分と前記第２の部分を結合して展示パッケージを形成することを含む。
【００１６】
本発明の上記及びその他の態様、特徴及び利点は、図面を参照してなされる以下の説明からさらに明らかになるだろう。
【図面の簡単な説明】
【００１７】
【図１】本発明の実施形態に係る付け爪用展示パッケージの斜視図である。
【図２】展示パッケージの分解図である。
【図３Ａ】展示パッケージの正面図である。
【図３Ｂ】展示パッケージの側面図である。
【図４】付け爪を保持する複数のトレーを含む、本発明の実施形態に係る展示パッケージの分解斜視図である。
【図５Ａ】複数のトレーの正面図である。
【図５Ｂ】複数のトレーの側面図である。
【図６】本発明の別の実施形態に係るトレーケースの分解図である。
【図７】トレーケースアセンブリを示す。
【図８】展示パッケージ内のトレーケースを示す。
【図９】１以上の溝と、プルタブと、を有する円筒状のネック部を含む本発明の別の実施形態を示す。
【図１０】内側部分に配置された１以上の戻り止めまたはタブを有するキャップを示す。
【図１１Ａ】円筒状のネック部の周囲を回転するキャップを示す。
【図１１Ｂ】円筒状のネック部の周囲を回転するキャップを示す。
【図１１Ｃ】円筒状のネック部の周囲を回転するキャップを示す。
【図１２】係止バンプを通過するタブを示す。
【図１３】第１の部分と第２の部分を連結するヒンジを示す。
【発明を実施するための形態】
【００１８】
以下、図面を参照して本発明の実施形態を詳細に説明する。各図面において、同一又は類似の構成要素は同一又は類似の参照番号によって示す場合がある。また、本発明の主題を明確にするために、公知の構造又はプロセスの詳細な説明は省略する。
【００１９】
以下の説明及び請求項において使用する用語及び単語は辞書に記載された定義に限定されるものではなく、本発明の明確かつ一貫した理解を可能にするためにのみ使用するものである。従って、以下の本発明の実施形態の説明は例示のみを目的とするものであり、請求項に記載された発明並びにそれらの均等物を限定するものではないことは当業者には明らかであろう。
【００２０】
図１及び図２は、本発明の実施形態に係る展示パッケージ１００を示す。展示パッケージ１００は、第１の部分１１０と第２の部分１２０とを含み、第１の部分１１０と第２の部分１２０を組み合わせるとマニキュア液ボトルの形状が形成される。展示パッケージは、透明なプラスチックを真空成形又は射出成形して得られたものであることが好ましい。本実施形態では、第１の部分１１０と第２の部分１２０は、展示パッケージ１００を縦方向に半分に分割したものである。ただし、展示パッケージ１００は様々な形態（例えば、水平方向）で分割することができる。円筒状のネック部１３０が本体部１４０から延びている。本体部１４０は、展示パッケージ１００を平面に配置した場合に展示パッケージ１００を直立させる平らな底部１５０を有する。第１の部分１１０と第２の部分１２０を組み合わせると、展示パッケージ１００の本体部１４０内に空洞１６０が形成される。
【００２１】
図３Ａ及び図３Ｂは、本発明の実施形態に係る展示パッケージ１００の正面図及び側面図を示す。図３Ｂの側面図では、第１の部分１１０と第２の部分１２０が結合されて展示パッケージ１００を形成している。展示パッケージ１００の本体部１４０内に空洞１６０が形成されている。本体部１４０は、前壁部１４１と、後壁部１４２と、内側に傾斜して展示パッケージ１００の一端において円筒状のネック部１３０に接続され、平らな底部１５０とは反対側の上端部において接触する側壁部１４３及び１４４を含む。
【００２２】
図４は、１以上のトレー１７０を含む本発明の実施形態に係る展示パッケージ１００の分解斜視図である。トレー１７０は、各種プラスチックを真空成形又は射出成形して製造することができる。トレー１７０は、付け爪等のアイテムを保持するための複数の凹部１８０を有する。複数の凹部１８０はグリッドパターン又はその他の様々なパターンで配列することができ、第１のトレー１７１を第２のトレー１７２上に重ねると、第１のトレー１７１と第２のトレー１７２がかみ合う形状を有する。
【００２３】
図５Ａ及び図５Ｂに示すように、第１の部分１１０と第２の部分１２０を結合して展示パッケージ１００を形成すると、トレー１７０は展示パッケージ１００の空洞１６０内に位置する。第１の部分１１０と第２の部分１２０は、スナップ式、かみ合わせ式又は公知の任意の方法で結合することができる。トレー１７０が空洞１６０内において移動することを防止するために、トレー１７０は本体部１４０と類似した形状を有することが好ましい。
【００２４】
図６は、付け爪等のアイテムを保持するための凹部２００を含むカバートレー１９０を備えた本発明の別の実施形態を示す。カバートレー１９０は、底部トレー１９１に取り付けられて図７に示すトレーケース１９２を形成する。図８に示すように、トレーケース１９２は展示パッケージ１００の空洞１６０（図示せず）内にはめ込まれる。カバートレー１９０と底部トレー１９１を組み合わせると、付け爪等のアイテムを保持するための中空領域２１０が形成される。凹部２００は付け爪等のアイテムを所定の直立位置に保持し、中空領域２１０は付け爪等のアイテムを緩やかに保持する。
【００２５】
図９は、１以上の溝１３１と、第１の部分１１０を第２の部分１２０から分離するためのプルタブ１３２と、を有する円筒状のネック部１３０を含む、本発明の別の実施形態を示す。プルタブ１３２は、第１の部分１１０又は第２の部分１２０のいずれかの円筒状のネック部１３０から延びていてもよい。図９及び図１０は、内側部分に配置された１以上の戻り止め（タブ）１３５を有するキャップ１３４を示している。タブ１３５は１以上の溝１３１に収容され、キャップ１３４が回転すると溝１３１内を移動して円筒状のネック部１３０上においてキャップを固定し、第１の部分１１０と第２の部分１２０を固着させる。
【００２６】
図１１Ａ〜図１１Ｃに示すように、キャップ１３４は円筒状のネック部１３０上に配置され、タブ１３５が溝１３１内を案内されるに従って、キャップ１３４は円筒状のネック部１３０の周囲において、矢印Ａによって示す動作に続いて約４分の１回転する。図１２は、キャップ１３４が完全にロック位置となる直前に、溝１３１の端部近傍に位置する係止バンプ１３６を通過するタブ１３５を示す。係止バンプ１３６は溝１３１の端部から延びており、溝１３１の端部においてタブ１３５を所定の位置に固定し、それによってキャップ１３４を固定する。
【００２７】
図１３は、第１の部分１１０と第２の部分１２０を連結するヒンジ１１８を有する本発明の別の実施形態を示し、ヒンジ１１８は、第１の部分１１０から延び、第２のヒンジ部分１１３の収容穴１１４に挿入される挿入タブ１１２を有する第１のヒンジ部分１１１を含む。第２のヒンジ部分１１３は、挿入タブ１１２を収容穴１１４に挿入することを可能とする１以上の半円挿入溝１１９を含む。また、図１３は、展示パッケージ１００の係止機構も示している。具体的には、第１の部分１１０は、第１の部分１１０から延び、係止隆起部１１６を有するタブ１１５を含み、係止隆起部１１６は、第２の部分１２０の上面の下に位置する係止溝１１７に収容される（取り付けられる）。従って、第１の部分１１０と第２の部分１２０を組み合わせると、係止隆起部１１６は係止溝１１７に嵌め込まれ、第１の部分１１０と第２の部分１２０を固定する。
【００２８】
実施形態を参照して本発明について説明したが、請求項に記載された本発明の範囲及びそれらの均等物の範囲から逸脱することなく、形態や詳細部分を変形することができることは当業者には明らかだろう。
【図１】
0005876674.tif 000002
【図２】
0005876674.tif 000003
【図３Ａ】
0005876674.tif 000004
【図３Ｂ】
0005876674.tif 000005
【図４】
0005876674.tif 000006
【図５Ａ】
0005876674.tif 000007
【図５Ｂ】
0005876674.tif 000008
【図６】
0005876674.tif 000009
【図７】
0005876674.tif 000010
【図８】
0005876674.tif 000011
【図９】
0005876674.tif 000012
【図１０】
0005876674.tif 000013
【図１１Ａ】
0005876674.tif 000014
【図１１Ｂ】
0005876674.tif 000015
【図１１Ｃ】
0005876674.tif 000016
【図１２】
0005876674.tif 000017
【図１３】
0005876674.tif 000018